(57)【要約】      （修正有）【課題】容器内に、マンゴーアイス、マンゴーシャーベット、マンゴープリン、マンゴーゼリー等を収納できて、しかも、手で触れた際に生のマンゴー果実の触感を有し、そのうえ、生のマンゴーのように花むきをすることができるマンゴー菓子容器を提供する。【解決手段】縦又は横方向に半割にして中身を刳り抜いたマンゴー形状で厚さ０．５〜２ｍｍのシリコーンエラストマー製容器の該半割り面同士を当接させて、外観が１個のマンゴーの形状に組み立てられる１組のマンゴー菓子容器１であって、前記それぞれの容器の少なくとも一方の前記半割り面に、嵌合手段２−１を周設して着脱可能にしたことを特徴とするマンゴー菓子容器１。【選択図】図２
0003183348.tif 000002
【実用新案登録請求の範囲】
【請求項１】
縦又は横方向に半割にして中身を刳り抜いたマンゴー形状で厚さ０．５〜２ｍｍのシリコーンエラストマー製容器の該半割り面同士を当接させて、外観が１個のマンゴーの形状に組み立てられる１組のマンゴーアイスクリーム、マンゴーシャーベット、マンゴープリン、マンゴーゼリー等のマンゴー菓子容器であって、前記それぞれの容器の少なくとも一方の前記半割り面に、嵌合手段を周設して着脱可能にしたことを特徴とするマンゴー菓子容器。
【請求項２】
前記シリコーンエラストマー製容器にマンゴー菓子を入れた後に、前記シリコーンエラストマー製容器の前記半割り面を、それぞれプラスチックフィルによってラッピングをしたことを特徴とする請求項１に記載のマンゴー菓子容器。
【請求項３】
前記嵌合手段が、嵌め代であって、該嵌め代が一方の半割り容器に周設されており、かつ、該嵌め代先端部の外周長が該嵌め代の根元部の外周長より短いことを特徴とする請求項１又は２に記載のマンゴー菓子容器。
【請求項４】
前記嵌合手段が、断面が鉤型形状であって、該鉤型形状が１組の半割り容器のそれぞれの半割り面に周設されていることを特徴とする請求項１又は２に記載のマンゴー菓子容器。
【請求項５】
前記半割り面の外周の一部又は全周に、シールを貼設したことを特徴とする請求項１から４のいずれかに記載のマンゴー菓子容器。
【請求項６】
前記シリコーンエラストマー製容器の外面にネットを着脱可能に設けたことを特徴とする請求項１から５のいずれかに記載のマンゴー菓子容器。
【請求項７】
前記半割り容器内に、格子状にフィルムを挿入して設けたことを特徴とする請求項１から６のいずれかに記載のマンゴー菓子容器。
【考案の詳細な説明】
【技術分野】
【０００１】
本考案は、マンゴーの果肉、果汁を含んだ菓子、例えば、アイスクリーム、シャーベット等の氷菓子、プリン、ゼリー等のデザート菓子を収納して喫食するための容器であって、外観をマンゴー形状にしたマンゴー菓子容器に関するものである。
【背景技術】
【０００２】
近年、マンゴーは、嗜好品の代表的な高級果物として、その香味、食味が賞味されて、その生産量が拡大し、生産地域も亜熱帯である沖縄、南九州にとどまらず、温室栽培が可能なことから北海道でも栽培されてきている。マンゴーの果肉は多汁で、独特のマンゴー臭である甘い香りがあり、そして濃厚な甘味を有する。その栄養素は、βカロチンを主体とするビタミンＡが他の果物に比べて多く、また、ビタミンＣやカリウム、カルシウムなどのミネラル成分も多く含まれる。また、マンゴーは、本来の果肉を賞味する高級果物として扱われるものの他に、低級品の果肉をペースト状にして、アイスクリーム、シャーベット、プリン、ゼリー等のマンゴー菓子の材料として利用されている。最近では、低級品のマンゴーの風味、食味を生かした加工菓子が種々食品業界に提供されて来ている。
【０００３】
一方、従来から、アイスクリームは、プラスチックや紙の容器等に入れられて販売されてきている。そして、そのアイスクリームを入れる容器を対象とした発明が数多く提供されている。例えば、上蓋を食事中は容器の底部に嵌め込むことによって蓋が邪魔にならず、しかも、その場合に蓋と底板によって断熱室を形成してカップを把持する手が冷たくなることを防止するためにカップの底に蓋を接合するアイスクリーム容器が先行技術として開示されている（文献１）。
【先行技術文献】
【特許文献】
【０００４】
【特許文献１】特開２０１０−３０６６０号公報（〔請求項１〜６〕、〔０００２〜００２４〕、〔図１〜９〕）。
【考案の概要】
【考案が解決しようとする課題】
【０００５】
前記先行技術は、取り外した蓋を収納できて、しかも手が冷たくならないという便利な機能があるが、マンゴー由来のアイスクリームを中に入れても、外観が従来の在り来たりなアイスクリームの容器のままであるから、高級なマンゴーをイメージしにくいという問題があった。
【０００６】
そこで、上記の問題を解決するために、容器内に、マンゴーアイス、マンゴーシャーベット、マンゴープリン、マンゴーゼリー等を収納できて、しかも、手で触れた際に生のマンゴー果実の触感を有し、そのうえ、生のマンゴーのように花むきをすることができるマンゴー菓子容器を考案して提供するものである。
【課題を解決するための手段】
【０００７】
本考案の請求項１に係るマンゴー菓子容器は、縦又は横方向に半割にして中身を刳り抜いたマンゴー形状で厚さ０．５〜２ｍｍのシリコーンエラストマー製容器の該半割り面同士を当接させて、外観が１個のマンゴーの形状に組み立てられる１組のマンゴーアイスクリーム、マンゴーシャーベット、マンゴープリン、マンゴーゼリー等のマンゴー菓子容器であって、前記それぞれの容器の少なくとも一方の前記半割り面に、嵌合手段を周設して着脱可能にしたことを特徴とする。
【０００８】
本願考案は、外観が組み立てれば１個のマンゴー形状をしたものを縦又は横方向に半割りにし、中身を刳り抜いた形状にした容器である。これら半割した２つの容器の切断面を当接させ、片方又は双方の半割り面の１周に設けた嵌合手段を用いて、２つの容器を組み合わせることによって、元の１つのマンゴーの形状とすることができて、本物の１個のマンゴーと同じ外観にすることができる。また、嵌合手段を外せば、２つの容器に分けることができて、各容器の内容物であるマンゴーアイス、マンゴーシャーベット、マンゴープリン、マンゴーゼリー等（以下、マンゴー菓子と称する。）を食することができる。即ち、本願考案のマンゴー容器は、２つの半割の容器にマンゴー菓子を入れた状態で、その２つの容器を組み合わせて本物のマンゴーに似せた１個のマンゴー形状の容器として使用することができ、その後、その１個のマンゴーを元の２つの容器に分離して内容物であるマンゴー菓子を食するものである。また、本願考案の容器は、シリコーンエラストマー製であるので柔軟性があるから、この容器に触れた際に、本物のマンゴーに近い触感と温感を得ることができる。また、本願考案の容器は、柔軟性があり、厚みも０．５〜２ｍｍと薄いので収納されたマンゴー菓子を、本物のマンゴーのように、いわゆる“花むき”にすることもできる。
【０００９】
請求項２に係るマンゴー菓子容器は、請求項１において、前記シリコーンエラストマー製容器にマンゴー菓子を入れた後に、前記シリコーンエラストマー製容器の前記半割り面を、それぞれプラスチックフィルムによってラッピングをしたことを特徴とする。
【００１０】
この構成を採用することにより、嵌合（結合）して１個のマンゴーの形状となった容器を元の２つの容器に分解した際に、内容物のマンゴー菓子はプラスチックフィルムで覆われているので、マンゴー菓子が飛び出してこぼれたり、アイスクリームやシャーベットの場合には、マンゴー菓子同士が引っ付いて分離し難く、また、分離しても切断面が粗雑になり、見た目が汚くなることを防止することができる。
【００１１】
請求項３に係るマンゴー菓子容器は、請求項１又は２において、前記嵌合手段が、嵌め代であって、該嵌め代が一方の半割り容器に周設されており、かつ、該嵌め代先端部の外周長が該嵌め代の根元部の外周長より短いことを特徴とする。また、請求項４に係るマンゴー菓子容器は、請求項１又は２において、前記嵌合手段が、断面が鉤型形状であって、該鉤型形状が１組の半割り容器のそれぞれの半割り面に周設されていることを特徴とする。
【００１２】
これらの構成を採用することにより、２つの容器を嵌め合わせた際に、しっかり組み合わせることができて、衝撃等の外力によって、２つの容器同士が簡単に外れないようにして一体化することができる。
【００１３】
請求項５に係るマンゴー菓子容器は、請求項１から４のいずれかにおいて、前記半割り面の外周の一部又は全周に、シールを貼設したことを特徴とする。
【００１４】
この構成を採用することによって、シール（例えば、マンゴーの商標を表示したシール等）を半割り面の外周の表裏等に貼設することによって、嵌合手段の結合する力を補強することができる。
【００１５】
請求項６に係るマンゴー菓子容器は、請求項１から５のいずれかにおいて、前記シリコーンエラストマー製容器の外面にネットを着脱可能に設けたことを特徴とする。
【００１６】
２つの半割の容器を組み合わせて１個のマンゴー形状になった容器を、ネットに入れることによって、農圃で栽培されているマンゴーが熟している状態をより本物に似せて再現することができ、美観を与え、食欲をそそる。しかも、２つの容器同士の結合する力をネットによって補強することもできる。
【００１７】
請求項７に係るマンゴー菓子容器は、請求項１から６のいずれかにおいて、前記半割り容器内に、格子状にフィルムを挿入して設けたことを特徴とする。
【００１８】
この構成を採用することにより、喫食する際にナイフ等でサイコロ状に切れ目を入れなくとも、格子状のフィルムを外してから、半割り容器を裏返せば、本物の生のマンゴーと同じようにいわゆる“花むき”をして喫食することができる。
【考案の効果】
【００１９】
本考案に係る請求項１から７に記載のマンゴー菓子容器よれば、本物のマンゴーに近い外観及び手触り感の容器に、マンゴー菓子を入れることができる。したがって、マンゴー菓子で、高級品である生のマンゴーを手に入れたような気分に浸ることができる。しかもマンゴー菓子を食する際に、マンゴー特有のむき方である“花むき”もできるので、より本物のマンゴーを食べる気分が味わえ、楽しみながら喫食できる。
【図面の簡単な説明】
【００２０】
【図１】図１は、本考案を実施するための形態に係るマンゴー菓子容器の模式的平面図である。
【図２】図２は、本考案を実施するための形態に係るマンゴー菓子容器であって２つの半割容器を組み合わせて１個のマンゴー形状とした場合の模式的斜視図である。
【図３】図３は、図２における１組のマンゴー菓子容器を２つの容器に分割した状態の模式的斜視図である。
【図４】図４は、図１における本考案を実施するための形態に係るマンゴー容器の模式的Ａ−Ａ矢視断面図である。
【図５】図５は、図４における本考案を実施するための形態に係るＢ部の模式的拡大図であって嵌合手段が（ａ）は、嵌め代、（ｂ）は、鉤型形状である。
【図６】図６は、本考案を実施するための形態に係るネットに入れた状態のマンゴー菓子容器の模式的斜視図である。
【図７】図７は、本考案を実施するための形態に係るマンゴー菓子容器において、マンゴー菓子を花むき状態にした模式的斜視図である。
【考案を実施するための形態】
【００２１】
本考案に係るマンゴー菓子容器を実施するための形態について図１、図２、図３、図４、図５（ａ）、図５（ｂ）、図６、図７を用いて説明する。図１は、本考案を実施するための形態に係るマンゴー菓子容器の模式的平面図である。図２は、本考案を実施するための形態に係るマンゴー菓子容器であって２つの半割の容器を組み合わせて１個のマンゴー形状とした場合の模式的斜視図である。図３は、図２における１組のマンゴー菓子容器を２つの容器に分割した状態の模式的斜視図である。図４は、図１における本考案を実施するための形態に係るマンゴー容器の模式的Ａ−Ａ矢視断面図である。図５は、図４における本考案を実施するための形態に係るＢ部の模式的拡大図であって嵌合手段が（ａ）は、嵌め代、（ｂ）は、鉤型形状である。図６は、本考案を実施するための形態に係るネットに入れた状態のマンゴー菓子容器の模式的斜視図である。図７は、本考案を実施するための形態に係るマンゴー菓子容器において、マンゴー菓子を花むき状態にした模式的斜視図である。
【００２２】
図１、図２、図３、図４、図５（ａ）、図５（ｂ）、図６、図７を用いて、１組のマンゴー菓子容器１を説明する。本考案に係るマンゴー菓子容器１は、半割のマンゴー菓子容器（オス）１−１と、半割のマンゴー菓子容器（メス）１−２と、から構成され、これらの半割のマンゴー菓子容器１−１、１−２の少なくとも一方の半割り面に、嵌合手段２を周設しおり、その嵌合手段２によって着脱可能にしている。
【００２３】
半割のマンゴー菓子容器（オス）１−１と半割のマンゴー菓子容器（メス）１−２は、外観（外側）が、１個のマンゴーを縦又は横に半割した形状（模様・色彩も含む）であり、内側は、マンゴーの中身を刳り抜いた形状で、その刳り抜いた部分に、マンゴーアイス、マンゴーシャーベット、マンゴープリン、マンゴーゼリー等のマンゴー菓子を入れる。半割のマンゴー菓子容器（オス）１−１と半割のマンゴー菓子容器（メス）１−２は、厚みが０．５〜２ｍｍの薄いシリコーンエラストマー製なので、柔軟性があり、マンゴー菓子３を入れた後に、使用者（マンゴー菓子の購入者）が、容器の外側に触れれば、本物のマンゴーに触れたような感触を得ることができる。また、シリコーンエラストマーは、無毒であり、耐寒性に優れているので、マンゴーアイスクリーム等のマンゴー菓子を入れる容器として好適である。
【００２４】
半割のマンゴー菓子容器（オス）１−１と半割のマンゴー菓子容器（メス）１−２の両方又は片方の半割した面の縁に沿って、嵌合手段２が周設されている。嵌合手段２としては、半割のマンゴー菓子容器（オス）１−１の嵌め代部２−１を半割のマンゴー菓子容器（メス）１−２に重ねて嵌合手段としてもよいし、半割のマンゴー菓子容器（オス）１−１と半割のマンゴー菓子容器（メス）１−２との両方に鉤型嵌め合い部２−２を設けて嵌合手段２としてもよい。
【００２５】
嵌め代部２−１は、先端部側（半割のマンゴー菓子容器（メス）側）の周長の方が、根元側（半割のマンゴー菓子容器（オス）側）の周長より短いので、一度、嵌合状態になると簡単には外れないし、外観も嵌め代部２−１と半割のマンゴー菓子容器（メス）１−２とが滑らかに接続するので、嵌合部が目立たない。
【００２６】
また、鉤型嵌め合い部２−２は、一度嵌合してしまえば容易に外れないし、マンゴー菓子容器（オス）１−１と半割のマンゴー菓子容器（メス）１−２の材質であるシリコーンエラストマーの柔軟性を利用すれば、脱着を容易に行うことができる。
【００２７】
また、マンゴー菓子容器１の半割り面の外周の表と裏に、商標等のシール４を貼設すれば、嵌合手段２の補強とすることができる。シール４は、半割り面の外周の全周に透明なシール２を貼設しても良い。これらのシール４により、マンゴー菓子の宣伝広告等にも利用できる。マンゴー菓子容器１をネット５に入れてもよい。ネット５に入れることによって、嵌合手段２の補強とすることができるし、また、農圃で栽培し収穫期のマンゴーを再現することができる。よって、使用者（マンゴー菓子の購入者）は、本物のマンゴーを手に入れたような気分を味合うことができる。なお、シール４とネット５はそれぞれ別々に使用してもよいし、同時に使用してもよい。また、シール４は外周の表のみに貼設してもよい。
【００２８】
また、プラスチックフィルム６は、半割のマンゴー菓子容器（オス）１−１と半割のマンゴー菓子容器（メス）１−２に、マンゴー菓子３を入れた後にそれぞれの半割り面に覆うように設ける。これによって、マンゴー菓子容器１を分割した際に、内容物のマンゴー菓子３が飛び出してこぼれたりすることを防止できる。また、マンゴー菓子が３がマンゴーアイスクリームやマンゴーシャーベットの場合は、半割のマンゴー菓子容器（オス）１−１と半割のマンゴー菓子容器（メス）１−２とに入っているアイスやシャーベット同士が引っ付くことを防止できて、分割し易くなり、さらに、分割面が凸凹して汚くなることを防止することができる。なお、プラスチックフィルム６を用いずにマンゴー菓子３同士が直接触れ合っても、もちろん構わない。
【００２９】
次に、本考案に係るマンゴー菓子容器１の製造方法の一例を説明する。クロロシラン混合物を加水分解し、その後縮重合し成形してマンゴー菓子容器１を製造する。
【００３０】
次に、本考案に係るマンゴー菓子容器１の使用方法の一例を説明する。まず、半割のマンゴー菓子容器（オス）１−１と半割のマンゴー菓子容器（メス）１−２に、マンゴーアイス、マンゴーシャーベット、マンゴープリン、マンゴーゼリー等のマンゴー菓子３を入れる。このとき、マンゴー菓子３は、同種のものをそれぞれに入れてもよいし、別々のお菓子を入れてもよい。次にそれぞれの容器１−１、１−２の半割り面側にプラスチックフィルム６を設け、半割り面同士を合わせる。このとき、半割のマンゴー菓子容器（オス）１−１の嵌め代部２−１は、半割のマンゴー菓子容器（オス）１−１の外側（半割のマンゴー菓子容器（メス）と反対の方向）に折り返しておく。半割り面同士を合わせた際に、嵌め代部２−１を半割のマンゴー菓子容器（メス）１−２側に戻せば、嵌め代部２−１の該嵌め代先端部の外周長が、嵌め代の根元部の外周長より短いので、それぞれのマンゴー容器１−１、１−２は、十分嵌め合い容易に外れなくなり、１個のマンゴーの形状をしたマンゴー菓子容器１となり、その状態を維持できる。また、マンゴー菓子容器１の半割り面にマンゴー菓子の商標を表示したシール４を貼り、該マンゴー菓子容器１をネット５に入れると、より本物のマンゴーのようになると共に、それぞれの容器１−１、１−２が衝撃等により分割されることを防止できる。このようにして、マンゴー菓子容器１にマンゴー菓子３を入れて販売できる。なお、補強用の透明なシール４を半割り面の外周全てを貼設させても良い。
【００３１】
次に、前述のマンゴー菓子３の入ったマンゴー容器１を購入した人は、ネット５から、マンゴー菓子容器１を取り出し、シール４をはがす。そして、嵌め代部２−１を捲って半割のマンゴー菓子容器（オス）１−１と半割のマンゴー菓子容器（メス）１−２とに分割する。プラスチックフィルム６をはがして、マンゴー菓子３を食べる。購入者は、マンゴー菓子３を、容器１−１、１−２に入れたままスプーンですくって食べてもよいし、マンゴー菓子３をナイフでサイコロ状に切り目を入れて、容器１−１、１−２を裏返して、本物の生のマンゴーと同じようにいわゆる“花むき”をして喫食することができる。
【００３２】
本考案に係るマンゴー菓子容器１の使用方法の別の一例として、半割のマンゴー菓子容器（オス）１−１と半割のマンゴー菓子容器（メス）１−２内に、それぞれ、格子状のプラスチックフィルム（図示しない）を設けてから、マンゴーアイス等のマンゴー菓子３を入れて、前述したように、それぞれの容器１−１、１−２の半割り面側にプラスチックフィルム６を設け、半割り面同士を合わせる。このとき、半割のマンゴー菓子容器（オス）１−１の鉤型嵌め合い部２−２と、半割のマンゴー菓子容器（メス）１−２の鉤型嵌め合い部２−２とを外周の全周を嵌め合わせる。ここで、本考案に係るマンゴー菓子容器１は、柔軟性があるので、容易に嵌め合わせることができて、しかも、衝撃等の外力によって容易に外れなくなり、１個のマンゴーの形状をしたマンゴー菓子容器１となり、その状態を維持できる。
【００３３】
次に、前述のマンゴー菓子３の入ったマンゴー容器１を購入した人は、鉤型嵌め合い部２−２を手で外して、半割のマンゴー菓子容器（オス）１−１と半割のマンゴー菓子容器（メス）１−２とに分割する。プラスチックフィルム６をはがして、さらに格子状のプラスチックフィルム（図示しない）を取り出してから、又はそのまま容器１−１、１−２を裏返せば、プラスチックフィルムにマンゴー菓子が引っ付かないから、本物の生のマンゴーと同じようにいわゆる“花むき”をして喫食することができる。
【産業上の利用可能性】
【００３４】
マンゴーのお菓子を詰める容器の分野で広く利用できる。
【符号の説明】
【００３５】
１：（１組の）マンゴー菓子容器
１−１：半割のマンゴー菓子容器（オス）
１−２：半割のマンゴー菓子容器（メス）
２：嵌合手段        ２−１：嵌め代部    ２−２：鉤型嵌め合い部        
３：マンゴー菓子      
４：シール              
５：ネット          
６：プラスチックフィルム
【図１】
0003183348.tif 000003
【図２】
0003183348.tif 000004
【図３】
0003183348.tif 000005
【図４】
0003183348.tif 000006
【図５】
0003183348.tif 000007
【図６】
0003183348.tif 000008
【図７】
0003183348.tif 000009